(57)【要約】【課題】ユーザーがリピート再生の設定を変更せずとも、コンテンツに応じた再生（リピート再生や１回のみの再生）を可能とすることである。【解決手段】判断部２２は、受付部２１が設定を受け付けたリピート再生条件を、ＤＳＰ７が再生している再生中コンテンツが満たしている場合に、再生中コンテンツをリピート再生すると判断する。また、判断部２２は、受付部２１が設定を受け付けたリピート再生条件を、再生中コンテンツが満たしていないと判断した場合に、再生中コンテンツをリピート再生しないと判断する。そして、指示部２３は、判断部２２が、再生中コンテンツをリピート再生すると判断した場合、ＤＳＰ７に再生中コンテンツをリピート再生させる。また、指示部２３は、判断部２２が、再生中コンテンツをリピート再生しないと判断した場合、ＤＳＰ７に次のコンテンツを再生させる。【選択図】図６
2015197939.tif 000002
【特許請求の範囲】
【請求項１】
コンテンツを再生する再生部と、
コンテンツのリピート再生条件の設定を受け付ける受付部と、
前記受付部が設定を受け付けた前記リピート再生条件を、前記再生部が再生している再生中コンテンツが満たしている場合に、前記再生中コンテンツをリピート再生すると判断し、且つ、前記受付部が設定を受け付けた前記リピート再生条件を、前記再生中コンテンツが満たしていないと判断した場合に、前記再生中コンテンツをリピート再生しないと判断する判断部と、
前記判断部が、前記再生中コンテンツをリピート再生すると判断した場合、前記再生部に前記再生中コンテンツをリピート再生させ、且つ、前記判断部が、前記再生中コンテンツをリピート再生しないと判断した場合、次のコンテンツを再生させる指示部と、
を備えることを特徴とするコンテンツ再生装置。
【請求項２】
前記受付部は、複数の前記リピート再生条件の設定を受け付け、さらに、複数の前記リピート再生条件をそれぞれ有効又は無効にする設定を受け付け、
前記判断部は、
前記受付部が設定を受け付けた前記リピート再生条件を、前記再生中コンテンツが満たしている場合に、前記再生中コンテンツが満たしている前記リピート再生条件が有効であれば、前記再生中コンテンツをリピート再生すると判断し、且つ、前記再生中コンテンツが満たしている前記リピート再生条件が無効であれば、前記再生部が再生しているコンテンツをリピート再生しないと判断することを特徴とする請求項１に記載のコンテンツ再生装置。
【請求項３】
前記受付部は、前記リピート再生条件に対応するリピート再生回数の設定を受け付け、
前記判断部は、
前記受付部が設定を受け付けた前記リピート再生条件を、前記再生中コンテンツが満たしている場合に、前記再生中コンテンツの前記リピート再生回数が、前記再生中コンテンツが満たしている前記リピート再生条件に対応する前記リピート再生回数に達していなければ、前記再生中コンテンツをリピート再生すると判断し、且つ、前記再生中コンテンツの前記リピート再生回数が、前記再生中コンテンツが満たしている前記リピート再生条件に対応する前記リピート再生回数に達していれば、前記再生中コンテンツをリピート再生しないと判断することを特徴とする請求項１又は２に記載のコンテンツ再生装置。
【請求項４】
前記受付部は、前記リピート再生条件として、コンテンツの累積再生回数と、前記累積再生回数以上の場合に、前記再生中コンテンツが前記リピート再生条件を満たすとするか、又は、前記累積再生回数以下の場合に、前記再生中コンテンツが前記リピート再生条件を満たすとするかの設定と、を受け付け、
前記判断部は、
前記受付部が、前記累積再生回数以下の場合に、前記再生中コンテンツが前記リピート再生条件を満たすとする設定を受け付けている場合に、前記再生中コンテンツの前記累積再生回数が、前記受付部が設定を受け付けた前記累積再生回数以下であれば、前記再生中コンテンツが前記リピート再生条件を満たすと判断し、且つ、前記再生中コンテンツの前記累積再生回数が、前記受付部が設定を受け付けた前記累積再生回数よりも多ければ、前記再生中コンテンツが前記リピート再生条件を満たさないと判断し、
前記受付部が、前記累積再生回数以上の場合に、前記再生中コンテンツが前記リピート再生条件を満たすとする設定を受け付けている場合に、前記再生中コンテンツの前記累積再生回数が、前記受付部が設定を受け付けた前記累積再生回数以上であれば、前記再生中コンテンツが前記リピート再生条件を満たすと判断し、且つ、前記再生中コンテンツの前記累積回数が、前記受付部が設定を受け付けた前記累積再生回数よりも少なければ、前記再生中コンテンツが前記リピート再生条件を満たさないと判断することを特徴とする請求項１〜３のいずれか１項に記載のコンテンツ再生装置。
【請求項５】
前記受付部は、前記リピート再生条件として、コンテンツの登録日と、前記登録日以前の場合に、前記再生中コンテンツが前記リピート再生条件を満たすとするか、又は、前記登録日以降の場合に、前記再生中コンテンツが前記リピート再生条件を満たすとするかの設定と、を受け付け、
前記判断部は、
前記受付部が、前記登録日以前の場合に、前記再生中コンテンツが前記リピート再生条件を満たすとする設定を受け付けている場合に、前記再生中コンテンツの前記登録日が、前記受付部が設定を受け付けた前記登録日以前であれば、前記再生中コンテンツが前記リピート再生条件を満たすと判断し、且つ、前記再生中コンテンツの前記登録日が、前記受付部が設定を受け付けた前記登録日よりも後であれば、前記再生中コンテンツがリピート再生条件を満たさないと判断し、
前記受付部が、前記登録日以降の場合に、前記再生中コンテンツが前記リピート再生条件を満たすとする設定を受け付けている場合に、前記再生中コンテンツの前記登録日が、前記受付部が設定を受け付けた前記登録日以降であれば、前記再生中コンテンツが前記リピート再生条件を満たすと判断し、且つ、前記再生中コンテンツの前記登録日が、前記受付部が設定を受け付けた前記登録日よりも前であれば、前記再生中コンテンツが前記リピート再生条件を満たさないと判断することを特徴とする請求項１〜３のいずれか１項に記載のコンテンツ再生装置。
【請求項６】
前記受付部は、前記リピート再生条件として、コンテンツの評価値と、前記評価値以下の場合に、前記再生中コンテンツが前記リピート再生条件を満たすとするか、又は、前記評価値以上の場合に、前記再生中コンテンツが前記リピート再生条件を満たすとするかの設定と、を受け付け、
前記判断部は、
前記受付部が、前記評価値以下の場合に、前記再生中コンテンツが前記リピート再生条件を満たすとする設定を受け付けている場合に、前記再生中コンテンツの前記評価値が、前記受付部が設定を受け付けた前記評価値以下であれば、前記再生中コンテンツが前記リピート再生条件を満たすと判断し、且つ、前記再生中コンテンツの前記評価値が、前記受付部が設定を受け付けた前記評価値よりも大きければ、前記再生中コンテンツが前記リピート再生条件を満たさないと判断し、
前記受付部が、前記評価値以上の場合に、前記再生中コンテンツが前記リピート再生条件を満たすとする設定を受け付けている場合に、前記再生中コンテンツの前記評価値が、前記受付部が設定を受け付けた前記評価値以上であれば、前記再生中コンテンツが前記リピート再生条件を満たすと判断し、且つ、前記再生中コンテンツの前記評価値が、前記受付部が設定を受け付けた前記評価値よりも小さければ、前記再生中コンテンツが前記リピート再生条件を満たさないと判断することを特徴とする請求項１〜３のいずれか１項に記載のコンテンツ再生装置。
【請求項７】
前記受付部は、前記リピート再生条件として、コンテンツの累積再生回数と、コンテンツの登録日と、コンテンツの評価値と、前記累積再生回数、前記登録日、前記評価値を全て満たすか、いずれか２つを満たすか、又は、いずれか１つを満たす場合に、前記再生中コンテンツが前記リピート再生条件を満たすとするかの設定と、を受け付け、
前記判断部は、
前記受付部が、前記累積再生回数、前記登録日、前記評価値を全て満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値を満たしていれば、前記再生中コンテンツが前記リピート再生条件を満たしていると判断し、且つ、前記再生中コンテンツの前記累積再生回数、前記登録日、前記評価値が、前記受付部が設定を受け付けた前記累積再生回数、前記登録日、前記評価値を少なくとも１つ満たしていなければ、前記再生中コンテンツが前記リピート再生条件を満たしていないと判断し、
前記受付部が、前記累積再生回数、前記登録日、前記評価値をいずれか２つを満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値のいずれか２つを満たしていれば、前記再生中コンテンツが前記リピート再生条件を満たすと判断し、且つ、前記再生中コンテンツの前記累積再生回数、前記登録日、前記評価値が、前記受付部が設定を受け付けた前記累積再生回数、前記登録日、前記評価値のいずれか２つを満たしていなければ、前記再生中コンテンツが前記リピート再生条件を満たしていないと判断し、
前記受付部が、前記累積再生回数、前記登録日、前記評価値をいずれか１つを満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値のいずれか１つを満たしていれば、前記再生中コンテンツが前記リピート再生条件を満たすと判断し、且つ、前記再生中コンテンツの前記累積再生回数、前記登録日、前記評価値が、前記受付部が設定を受け付けた前記累積再生回数、前記登録日、前記評価値のいずれか１つを満たしていなければ、前記再生中コンテンツが前記リピート再生条件を満たしていないと判断することを特徴とする請求項１〜３のいずれか１項に記載のコンテンツ再生装置。
【請求項８】
前記受付部は、前記リピート再生条件として、前記再生中コンテンツの情報を受け付けることを特徴とする請求項１〜３のいずれか１項に記載のコンテンツ再生装置。
【請求項９】
前記再生部は、外部記憶媒体に記憶されているコンテンツを再生することを特徴とする請求項１〜８のいずれか１項に記載のコンテンツ再生装置。
【請求項１０】
コンピュータを、
コンテンツを再生する再生部と、
コンテンツのリピート再生条件の設定を受け付ける受付部と、
前記受付部が設定を受け付けた前記リピート再生条件を、前記再生部が再生している再生中コンテンツが満たしている場合に、前記再生中コンテンツをリピート再生すると判断し、且つ、前記受付部が設定を受け付けた前記リピート再生条件を、前記再生中コンテンツが満たしていないと判断した場合に、前記再生中コンテンツをリピート再生しないと判断する判断部と、
前記判断部が、前記再生中コンテンツをリピート再生すると判断した場合、前記再生部に前記再生中コンテンツをリピート再生させ、且つ、前記判断部が、前記再生中コンテンツをリピート再生しないと判断した場合、次のコンテンツを再生させる指示部と、
して機能させることを特徴とするコンテンツ再生プログラム。
【発明の詳細な説明】
【技術分野】
【０００１】
本発明は、コンテンツを再生するコンテンツ再生装置及びコンテンツ再生プログラムに関する。
【背景技術】
【０００２】
コンテンツを再生するコンテンツ再生装置として、例えば、ＡＶアンプが知られている。ＡＶアンプは、ＨＤＤ（Hard Disk Drive）等の自装置が備える記憶部に記憶されているコンテンツの他、ＵＳＢメモリ等の外部記憶媒体に記憶されたコンテンツを再生することができる（例えば、特許文献１参照。）。外部記憶媒体には、フォルダが作成され、フォルダ内にコンテンツが記憶されている。ＡＶアンプは、リピート再生機能を備えており、ユーザーは、例えば、外部記憶媒体に記憶されているコンテンツ全体をリピート再生するように、ＡＶアンプを設定することができる。また、ユーザーは、１つのフォルダに記憶されているコンテンツをリピート再生するように、ＡＶアンプを設定することもできる。さらに、ユーザーは、１つのコンテンツをリピート再生するように、ＡＶアンプを設定することもできる。
【先行技術文献】
【特許文献】
【０００３】
【特許文献１】特開２０１０−２８１９１９号公報
【発明の概要】
【発明が解決しようとする課題】
【０００４】
しかしながら、従来のＡＶアンプは、ユーザーが設定したリピート再生を行うが、ユーザーが設定を変更しない限り、ユーザーが設定したリピート再生を繰り返す。このため、例えば、ユーザーは、１つのコンテンツをリピート再生するように、ＡＶアンプを設定すると、別のコンテンツをＡＶアンプに再生させたい場合、コンテンツのスキップ操作等を行わなければならず、不便である。
【０００５】
本発明の目的は、ユーザーがリピート再生の設定を変更せずとも、コンテンツに応じた再生（リピート再生や１回のみの再生）を可能とすることである。
【課題を解決するための手段】
【０００６】
第１の発明のコンテンツ再生装置は、コンテンツを再生する再生部と、コンテンツのリピート再生条件の設定を受け付ける受付部と、前記受付部が設定を受け付けた前記リピート再生条件を、前記再生部が再生している再生中コンテンツが満たしている場合に、前記再生中コンテンツをリピート再生すると判断し、且つ、前記受付部が設定を受け付けた前記リピート再生条件を、前記再生中コンテンツが満たしていないと判断した場合に、前記再生中コンテンツをリピート再生しないと判断する判断部と、前記判断部が、前記再生中コンテンツをリピート再生すると判断した場合、前記再生部に前記再生中コンテンツをリピート再生させ、且つ、前記判断部が、前記再生中コンテンツをリピート再生しないと判断した場合、次のコンテンツを再生させる指示部と、を備えることを特徴とする。
【０００７】
本発明では、指示部は、再生中コンテンツがリピート再生条件を満たしている場合、再生部に再生中コンテンツをリピート再生させる。また、指示部は、再生中コンテンツがリピート再生条件を満たしていない場合、再生部に次のコンテンツを再生させる。これにより、ユーザーがリピート再生の設定を変更せずとも、コンテンツに応じた再生（リピート再生や１回のみの再生）を行うことができる。
【０００８】
第２の発明のコンテンツ再生装置は、第１の発明のコンテンツ装置において、前記受付部は、複数の前記リピート再生条件の設定を受け付け、さらに、複数の前記リピート再生条件をそれぞれ有効又は無効にする設定を受け付け、前記判断部は、前記受付部が設定を受け付けた前記リピート再生条件を、前記再生中コンテンツが満たしている場合に、前記再生中コンテンツが満たしている前記リピート再生条件が有効であれば、前記再生中コンテンツをリピート再生すると判断し、且つ、前記再生中コンテンツが満たしている前記リピート再生条件が無効であれば、前記再生部が再生しているコンテンツをリピート再生しないと判断することを特徴とする。
【０００９】
本発明では、判断部は、再生中コンテンツが満たしているリピート再生条件が有効であれば、再生中コンテンツをリピート再生すると判断する。そして、指示部は、再生部に再生中コンテンツをリピート再生させる。また、判断部は、再生中コンテンツが満たしているリピート再生条件が無効であれば、再生中コンテンツをリピート再生しないと判断する。そして、指示部は、再生部に次のコンテンツを再生させる。従って、ユーザーは、リピート再生条件を有効又は無効に設定することにより、リピート再生条件を満たしている再生中コンテンツを、リピート再生させたり、リピート再生させなかったりすることができる。
【００１０】
第３の発明のコンテンツ再生装置は、第１又は第２の発明のコンテンツ再生装置において、前記受付部は、前記リピート再生条件に対応するリピート再生回数の設定を受け付け、前記判断部は、前記受付部が設定を受け付けた前記リピート再生条件を、前記再生中コンテンツが満たしている場合に、前記再生中コンテンツの前記リピート再生回数が、前記再生中コンテンツが満たしている前記リピート再生条件に対応する前記リピート再生回数に達していなければ、前記再生中コンテンツをリピート再生すると判断し、且つ、前記再生中コンテンツの前記リピート再生回数が、前記再生中コンテンツが満たしている前記リピート再生条件に対応する前記リピート再生回数に達していれば、前記再生中コンテンツをリピート再生しないと判断することを特徴とする。
【００１１】
本発明によれば、ユーザーは、リピート再生条件に対応するリピート再生回数を設定することができる。
【００１２】
第４の発明のコンテンツ再生装置は、第１〜第３の発明のいずれかのコンテンツ再生装置において、前記受付部は、前記リピート再生条件として、コンテンツの累積再生回数と、前記累積再生回数以上の場合に、前記再生中コンテンツが前記リピート再生条件を満たすとするか、又は、前記累積再生回数以下の場合に、前記再生中コンテンツが前記リピート再生条件を満たすとするかの設定と、を受け付け、前記判断部は、前記受付部が、前記累積再生回数以下の場合に、前記再生中コンテンツが前記リピート再生条件を満たすとする設定を受け付けている場合に、前記再生中コンテンツの前記累積再生回数が、前記受付部が設定を受け付けた前記累積再生回数以下であれば、前記再生中コンテンツが前記リピート再生条件を満たすと判断し、且つ、前記再生中コンテンツの前記累積再生回数が、前記受付部が設定を受け付けた前記累積再生回数よりも多ければ、前記再生中コンテンツが前記リピート再生条件を満たさないと判断し、前記受付部が、前記累積再生回数以上の場合に、前記再生中コンテンツが前記リピート再生条件を満たすとする設定を受け付けている場合に、前記再生中コンテンツの前記累積再生回数が、前記受付部が設定を受け付けた前記累積再生回数以上であれば、前記再生中コンテンツが前記リピート再生条件を満たすと判断し、且つ、前記再生中コンテンツの前記累積回数が、前記受付部が設定を受け付けた前記累積再生回数よりも少なければ、前記再生中コンテンツが前記リピート再生条件を満たさないと判断することを特徴とする。
【００１３】
本発明によれば、ユーザーは、リピート再生条件として、コンテンツの累積再生回数、累積再生回数以上の場合に、再生中コンテンツがリピート再生条件を満たすとするか、又は、累積再生回数以下の場合に、再生中コンテンツがリピート再生条件を満たすとするか、を設定することができる。
【００１４】
第５の発明のコンテンツ再生装置は、第１〜第３の発明のいずれかのコンテンツ再生装置において、前記受付部は、前記リピート再生条件として、コンテンツの登録日と、前記登録日以前の場合に、前記再生中コンテンツが前記リピート再生条件を満たすとするか、又は、前記登録日以降の場合に、前記再生中コンテンツが前記リピート再生条件を満たすとするかの設定と、を受け付け、前記判断部は、前記受付部が、前記登録日以前の場合に、前記再生中コンテンツが前記リピート再生条件を満たすとする設定を受け付けている場合に、前記再生中コンテンツの前記登録日が、前記受付部が設定を受け付けた前記登録日以前であれば、前記再生中コンテンツが前記リピート再生条件を満たすと判断し、且つ、前記再生中コンテンツの前記登録日が、前記受付部が設定を受け付けた前記登録日よりも後であれば、前記再生中コンテンツがリピート再生条件を満たさないと判断し、前記受付部が、前記登録日以降の場合に、前記再生中コンテンツが前記リピート再生条件を満たすとする設定を受け付けている場合に、前記再生中コンテンツの前記登録日が、前記受付部が設定を受け付けた前記登録日以降であれば、前記再生中コンテンツが前記リピート再生条件を満たすと判断し、且つ、前記再生中コンテンツの前記登録日が、前記受付部が設定を受け付けた前記登録日よりも前であれば、前記再生中コンテンツが前記リピート再生条件を満たさないと判断することを特徴とする。
【００１５】
本発明によれば、ユーザーは、リピート再生条件として、コンテンツの登録日、登録日以前の場合に、再生中コンテンツがリピート再生条件を満たすとするか、又は、登録日以降の場合に、再生中コンテンツがリピート再生条件を満たすとするか、を設定することができる。
【００１６】
第６の発明のコンテンツ再生装置は、第１〜第３の発明のいずれかのコンテンツ再生装置において、前記受付部は、前記リピート再生条件として、コンテンツの評価値と、前記評価値以下の場合に、前記再生中コンテンツが前記リピート再生条件を満たすとするか、又は、前記評価値以上の場合に、前記再生中コンテンツが前記リピート再生条件を満たすとするかの設定と、を受け付け、前記判断部は、前記受付部が、前記評価値以下の場合に、前記再生中コンテンツが前記リピート再生条件を満たすとする設定を受け付けている場合に、前記再生中コンテンツの前記評価値が、前記受付部が設定を受け付けた前記評価値以下であれば、前記再生中コンテンツが前記リピート再生条件を満たすと判断し、且つ、前記再生中コンテンツの前記評価値が、前記受付部が設定を受け付けた前記評価値よりも大きければ、前記再生中コンテンツが前記リピート再生条件を満たさないと判断し、前記受付部が、前記評価値以上の場合に、前記再生中コンテンツが前記リピート再生条件を満たすとする設定を受け付けている場合に、前記再生中コンテンツの前記評価値が、前記受付部が設定を受け付けた前記評価値以上であれば、前記再生中コンテンツが前記リピート再生条件を満たすと判断し、且つ、前記再生中コンテンツの前記評価値が、前記受付部が設定を受け付けた前記評価値よりも小さければ、前記再生中コンテンツが前記リピート再生条件を満たさないと判断することを特徴とする。
【００１７】
本発明によれば、ユーザーは、リピート再生条件として、コンテンツの評価値、評価値以下の場合に、再生中コンテンツがリピート再生条件を満たすとするか、又は、評価値以上の場合に、再生中コンテンツがリピート再生条件を満たすとするか、を設定することができる。
【００１８】
第７の発明のコンテンツ再生装置は、第１〜第３の発明のいずれかのコンテンツ再生装置において、前記受付部は、前記リピート再生条件として、コンテンツの累積再生回数と、コンテンツの登録日と、コンテンツの評価値と、前記累積再生回数、前記登録日、前記評価値を全て満たすか、いずれか２つを満たすか、又は、いずれか１つを満たす場合に、前記再生中コンテンツが前記リピート再生条件を満たすとするかの設定と、を受け付け、前記判断部は、前記受付部が、前記累積再生回数、前記登録日、前記評価値を全て満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値を満たしていれば、前記再生中コンテンツが前記リピート再生条件を満たしていると判断し、且つ、前記再生中コンテンツの前記累積再生回数、前記登録日、前記評価値が、前記受付部が設定を受け付けた前記累積再生回数、前記登録日、前記評価値を少なくとも１つ満たしていなければ、前記再生中コンテンツが前記リピート再生条件を満たしていないと判断し、前記受付部が、前記累積再生回数、前記登録日、前記評価値をいずれか２つを満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値のいずれか２つを満たしていれば、前記再生中コンテンツが前記リピート再生条件を満たすと判断し、且つ、前記再生中コンテンツの前記累積再生回数、前記登録日、前記評価値が、前記受付部が設定を受け付けた前記累積再生回数、前記登録日、前記評価値のいずれか２つを満たしていなければ、前記再生中コンテンツが前記リピート再生条件を満たしていないと判断し、前記受付部が、前記累積再生回数、前記登録日、前記評価値をいずれか１つを満たす場合に、前記再生中コンテンツが前記リピート再生条件を満たすとする設定を受け付けている場合に、前記再生中コンテンツの前記累積再生回数、前記登録日、前記評価値が、前記受付部が設定を受け付けた前記累積再生回数、前記登録日、前記評価値のいずれか１つを満たしていれば、前記再生中コンテンツが前記リピート再生条件を満たすと判断し、且つ、前記再生中コンテンツの前記累積再生回数、前記登録日、前記評価値が、前記受付部が設定を受け付けた前記累積再生回数、前記登録日、前記評価値のいずれか１つを満たしていなければ、前記再生中コンテンツが前記リピート再生条件を満たしていないと判断することを特徴とする。
【００１９】
本発明によれば、ユーザーは、リピート再生条件として、コンテンツの累積再生回数、コンテンツの登録日、コンテンツの評価値、累積再生回数、登録日、評価値を全て満たすか、いずれか２つを満たすか、又は、いずれか１つを満たす場合に、再生中コンテンツがリピート再生条件を満たすとするか、を設定することができる。
【００２０】
第８の発明のコンテンツ再生装置は、第１〜第３の発明のいずれかのコンテンツ再生装置において、受付部は、前記リピート再生条件として、前記再生中コンテンツの情報を受け付けることを特徴とする。
【００２１】
本発明では、受付部は、リピート再生条件として、再生中コンテンツの情報（例えば、累積再生回数、登録日、評価値）を受け付ける。これにより、ユーザーは、リピート再生条件を設定する手間が省ける。
【００２２】
第９の発明のコンテンツ再生装置は、第１〜第８の発明のいずれかのコンテンツ再生装置において、前記再生部は、外部記憶媒体に記憶されているコンテンツを再生することを特徴とする。
【００２３】
本発明によれば、ユーザーがリピート再生の設定を変更せずとも、外部記憶媒体に記憶されているコンテンツに応じた再生（リピート再生や１回のみの再生）を行うことができる。
【００２４】
第１０の発明のコンテンツ再生プログラムは、コンピュータを、コンテンツを再生する再生部と、コンテンツのリピート再生条件の設定を受け付ける受付部と、前記受付部が設定を受け付けた前記リピート再生条件を、前記再生部が再生している再生中コンテンツが満たしている場合に、前記再生中コンテンツをリピート再生すると判断し、且つ、前記受付部が設定を受け付けた前記リピート再生条件を、前記再生中コンテンツが満たしていないと判断した場合に、前記再生中コンテンツをリピート再生しないと判断する判断部と、前記判断部が、前記再生中コンテンツをリピート再生すると判断した場合、前記再生部に前記再生中コンテンツをリピート再生させ、且つ、前記判断部が、前記再生中コンテンツをリピート再生しないと判断した場合、次のコンテンツを再生させる指示部と、して機能させることを特徴とする。
【発明の効果】
【００２５】
本発明によれば、ユーザーがリピート再生の設定を変更せずとも、コンテンツに応じた再生（リピート再生や１回のみの再生）を行うことができる。
【図面の簡単な説明】
【００２６】
【図１】本発明の実施形態に係るＡＶアンプの構成を示すブロック図である。
【図２】ＵＳＢメモリに記憶されているコンテンツを示す図である。
【図３】制御部の機能ブロック図である。
【図４】受付部が設定を受け付けるコンテンツのリピート再生条件を説明するための図である。
【図５】受付部が設定を受け付けたコンテンツのリピート再生条件等が記憶されるテーブルの一例である。
【図６】コンテンツの再生を開始した後のＡＶアンプの処理動作を示すフローチャートである。
【図７】再生中コンテンツの情報と、リピート再生条件と、を比較する処理を示すフローチャートである。
【図８】再生中コンテンツの累積再生回数、登録日、レート数を、リピート再生条件として受け付ける場合の処理動作を示すフローチャートである。
【図９】受付部が設定を受け付けたコンテンツのリピート再生条件等が記憶されるテーブルの一例である（変形例）。
【図１０】コンテンツの再生を開始した後のＡＶアンプの処理動作を示すフローチャートである（変形例）。
【発明を実施するための形態】
【００２７】
以下、本発明の実施形態について説明する。図１は、本実施形態に係るＡＶアンプの構成を示すブロック図である。ＡＶアンプ１（コンテンツ再生装置）には、例えば、コンテンツが記憶されているＵＳＢメモリ１００（外部記憶媒体）が接続される。また、ＡＶアンプ１は、スピーカー２００と接続されている。ＡＶアンプ１は、ＵＳＢメモリ１００に記憶されているコンテンツを再生し、コンテンツの音声信号に増幅等の音声処理を行ってスピーカー２００に出力する機能を有する。なお、ＡＶアンプ１には、ＵＳＢメモリ１００の他、ＤＶＤプレーヤー等も接続され、ＤＶＤプレーヤーからは、音声信号の他、映像信号も入力される。そして、ＡＶアンプ１は、その映像信号を図示しないディスプレイ装置に出力することも可能であるが、説明の簡単のため、映像信号の出力については説明を省略する。
【００２８】
図１に示すように、ＡＶアンプ１は、制御部２、記憶部３、表示部４、操作部５、ＵＳＢ端子６、ＤＳＰ（Digital Signal Processor）７、Ｄ／Ａコンバータ８、ボリューム調整回路９、パワーアンプ回路１０、アナログ音声出力端子１１等を備えている。
【００２９】
制御部２は、ＣＰＵ（Central Processing Unit）、ＵＳＢホストコントローラ等のハードウェアから構成されており、記憶部３に記憶された制御プログラムに従って、ＡＶアンプ１を構成する各部を制御する。ＵＳＢホストコントローラは、ＵＳＢ規格に対応した通信をＵＳＢデバイス（本実施形態では、ＵＳＢメモリ１００）と行うためのコントローラである。ＡＶアンプ１は、ＵＳＢホストコントローラにより、ＵＳＢホストとして機能する。制御部２の機能について後述する。記憶部３は、制御部２の主メモリとして機能するＲＡＭ（Random Access Memory）、制御プログラムを記憶するＲＯＭ（Read Only Memory）から構成されている。なお、記憶部３は、例示する構成に限られず、フラッシュメモリやＨＤＤ等を含んでいてもよい。
【００３０】
表示部４は、設定画面、音量レベルなどを表示するものであり、ＬＣＤ（液晶ディスプレイ）や蛍光表示管等である。操作部５は、ユーザー操作を受け付けるためのものであり、ＡＶアンプ１の筐体に設けられた操作ボタンやリモートコントローラである。ユーザーは、操作部５を操作することにより、ＡＶアンプ１に再生させるＵＳＢメモリ１００に記憶されているコンテンツの選択や各種設定を行うことができる。
【００３１】
ＵＳＢ端子６には、ＵＳＢメモリ１００が接続される。ＤＳＰ７（再生部）は、制御部２（指示部２３）からの指示に従って、ＵＳＢメモリ１００に記憶されているコンテンツを再生する。具体的には、ＤＳＰ７は、ＵＳＢメモリ１００に記憶されているコンテンツを読み出し、デコードすることによって、コンテンツを再生する。ＤＳＰ７は、再生したコンテンツのデジタル音声信号をＤ／Ａコンバータ８に出力する。Ｄ／Ａコンバータ８は、ＤＳＰ７から出力されたコンテンツのデジタル音声信号をアナログ音声信号にＤ／Ａ変換して、ボリューム調整回路９に出力する。ボリューム調整回路９は、コンテンツのアナログ音声信号のボリュームを調整し、パワーアンプ回路１０に出力する。ここで、ボリューム調整回路９は、制御部２が決定したボリュームにアナログ音声信号を調整する。制御部２は、例えば、操作部５のボリュームノブの回転数に基づいて、ボリューム調整回路９が調整するボリュームを決定し、ボリューム調整回路９に出力する。パワーアンプ回路１０は、ボリューム調整回路９から出力されたコンテンツのアナログ音声信号を増幅し、アナログ音声出力端子１１に出力する。アナログ音声出力端子１１には、スピーカー２００が接続されており、アナログ音声出力端子１１からスピーカー２００にコンテンツのアナログ音声信号が出力される。スピーカー２００は、ＡＶアンプ１から入力されたコンテンツのアナログ音声信号に基づいて、コンテンツの音声を出力する。
【００３２】
次に、ＵＳＢメモリ１００について説明する。ＵＳＢメモリ１００は、ＵＳＢデバイスコントローラを備えている。ＵＳＢデバイスコントローラは、ＵＳＢ規格に対応した通信をＵＳＢホスト（本実施形態では、ＡＶアンプ１）と行うためのコントローラである。ＵＳＢデバイスコントローラにより、ＵＳＢメモリ１００は、ＵＳＢデバイスとして機能する。また、ＵＳＢメモリ１００には、コンテンツが記憶されている。ＵＳＢメモリ１００には、例えば、図２に示すように、フォルダが作成されており、そのフォルダの中に、コンテンツが記憶されている。また、ＵＳＢメモリ１００には、コンテンツに対応付けて、累積再生回数、ＵＳＢメモリ１００への登録日、レート数（評価値）が記憶されている。累積再生回数は、そのコンテンツが再生された累積回数である。登録日は、そのコンテンツがＵＳＢメモリ１００に記憶された日付である。レート数は、そのコンテンツのユーザーによる評価値である。ユーザーは、例えば、パーソナルコンピュータ等から、コンテンツのレート数を設定することが可能である。
【００３３】
次に、制御部２の機能について説明する。図３は、制御部２の機能ブロック図である。図３に示すように、制御部２は、受付部２１、判断部２２、指示部２３として機能する。受付部２１は、操作部５の操作に基づいて、コンテンツのリピート再生条件の設定を受け付ける。すなわち、受付部２１は、ＤＳＰ７が再生している再生中コンテンツをリピートするか否かのリピート再生条件の設定を受け付ける。図４は、受付部２１が設定を受け付けるコンテンツのリピート再生条件を説明するための図である。図５は、受付部２１が設定を受け付けたコンテンツのリピート再生条件等が記憶されるテーブルの一例である。図５に示すテーブルは、記憶部３に記憶されており、受付部２１は、設定を受け付けたリピート再生条件をテーブルに記憶する。受付部２１は、コンテンツのリピート再生条件として、コンテンツの累積再生回数の設定を受け付ける（「累積再生回数」フィールドの「累積再生回数」欄参照。）。また、受付部２１は、設定を受け付けた累積再生回数以上の場合に、再生中コンテンツがリピート再生条件を満たすとするか、又は、累積再生回数以下の場合に、再生中コンテンツがリピート再生条件を満たすとするかの設定を受け付ける（「累積再生回数」フィールドの「以下／以上」欄参照。）。
【００３４】
受付部２１は、リピート再生条件として、コンテンツのＵＳＢメモリ１００への登録日の設定を受け付ける（「登録日」フィールドの「登録日」欄参照。）。また、受付部２１は、設定を受け付けた登録日以前の場合に、再生中コンテンツがリピート再生条件を満たすとするか、又は、登録日以降の場合に、再生中コンテンツがリピート再生条件を満たすとするかの設定を受け付ける（「登録日」フィールドの「以前／以降」欄参照。）。
【００３５】
受付部２１は、リピート再生条件として、コンテンツのレート数の設定を受け付ける（「レート数」フィールドの「レート数」欄参照。）。また、受付部２１は、設定を受け付けたレート数以下の場合に、再生中コンテンツがリピート再生条件を満たすとするか、又は、レート数以上の場合に、再生中コンテンツがリピート再生条件を満たすとするかの設定を受け付ける（「レート数」フィールドの「以下／以上」欄参照。）。
【００３６】
また、受付部２１は、リピート再生条件を有効又は無効にする設定を受け付ける（「有効／無効」フィールド参照。）。ここで、再生中コンテンツがリピート再生条件を満たしていても、リピート再生条件が無効である場合、そのコンテンツはリピートされない。受付部２１は、複数のリピート再生条件の設定を受け付け、それらを例えばリピート再生条件１〜３としてテーブルに記憶する（「Ｎｏ」フィールド参照。）。また、受付部２１は、リピート再生条件に対応するリピート再生回数の設定を受け付ける（「リピート再生回数」フィールド参照。）。
【００３７】
また、受付部２１は、累積再生回数、登録日、評価値を全て満たすか、いずれか２つを満たすか、又は、いずれか１つを満たす場合に、再生中コンテンツがリピート再生条件を満たすとするかの設定を受け付ける（「ＡＮＤ／ＯＲ」フィールド参照。）。例えば、図５に示すリピート再生条件１の場合、累積再生回数と、登録日又はレート数と、の２つの条件を満たせば、リピート再生条件１を満たしていることとなる。また、リピート再生条件２の場合、累積再生回数、登録日、レート数のいずれか１つの条件を満たせば、リピート再生条件２を満たしていることとなる。また、リピート再生条件３の場合、累積再生回数、登録日、レート数の全ての条件を満たせば、リピート再生条件３を満たしていることとなる。
【００３８】
図５に示す各リピート再生条件について詳述する。リピート再生条件１は、累積再生回数の設定がないため、登録日が２０１０年７月以前、又は、レート数１以下を満たすことが、コンテンツをリピート再生する条件である。リピート再生条件１は、有効であるため、リピート再生条件１を満たすコンテンツは、１回、リピート再生される。リピート再生条件２は、累積再生回数５回以上、登録日２０００年以降、又は、レート数２以上を満たすことが、コンテンツをリピート再生する条件である。リピート再生条件２は、無効であるため、リピート再生条件２を満たしていても、そのコンテンツは、リピート再生されない。なお、リピート再生条件２が有効であれば、リピート再生条件２を満たすコンテンツは、２回リピート再生される。リピート再生条件３は、登録日及びレート数の設定がないため、累積再生回数が１０回以下を満たすことが、コンテンツをリピート再生する条件である。リピート再生条件３は、有効であるため、リピート再生条件３を満たすコンテンツは、３回、リピート再生される。
【００３９】
また、受付部２１は、操作部５の操作に基づいて、再生するコンテンツの選択を受け付ける。
【００４０】
判断部２２は、再生中コンテンツをリピート（再度）再生するか否かを判断する。具体的には、判断部２２は、再生中コンテンツが、受付部２１が設定を受け付けたリピート再生条件を満たしている場合は、再生中コンテンツをリピート再生すると判断する。また、判断部２２は、再生中コンテンツが、受付部２１が設定を受け付けたリピート再生条件を満たしていない場合は、再生中コンテンツをリピート再生しないと判断する。ここで、判断部２２は、ＵＳＢメモリ１００に記憶されているコンテンツの累積再生回数等をＵＳＢメモリ１００から取得し、取得した累積再生回数等と、テーブルに記憶されている累積再生回数等と、に基づいて、上記判断を行う。
【００４１】
また、判断部２２は、受付部２１が設定を受け付けたリピート再生条件を、再生中コンテンツが満たしている場合に、再生中コンテンツが満たしているリピート再生条件が有効であれば、再生中コンテンツをリピート再生すると判断する（例えば、図５に示すリピート再生条件１、３）。一方、判断部２２は、再生中コンテンツが満たしているリピート再生条件が無効であれば、再生中コンテンツをリピート再生しないと判断する（例えば、図５に示すリピート再生条件２）。
【００４２】
また、判断部２２は、受付部２１が設定を受け付けたリピート再生条件を、再生中コンテンツが満たしている場合に、再生中コンテンツのリピート再生回数が、再生中コンテンツが満たしているリピート再生条件に対応するリピート再生回数に達していなければ、再生中コンテンツをリピート再生すると判断する。例えば、図５に示すリピート再生条件１を満たす再生中コンテンツのリピート再生回数が、０回であれば、リピート再生回数の１回に達していないため、判断部２２は、再生中コンテンツをリピート再生すると判断する。一方、判断部２２は、再生中コンテンツのリピート再生回数が、再生中コンテンツが満たしているリピート再生条件に対応するリピート再生回数に達していれば、再生中コンテンツをリピート再生しないと判断する。例えば、図５に示すリピート再生条件１を再生中コンテンツのリピート再生回数が、１回であれば、リピート再生回数の１回に達しているため、判断部２２は、再生中コンテンツをリピート再生しないと判断する。
【００４３】
また、判断部２２は、受付部２１が、累積再生回数以下の場合に、再生中コンテンツがリピート再生条件を満たすとする設定を受け付けている場合に、再生中コンテンツの累積再生回数が、受付部２１が設定を受け付けた累積再生回数以下であれば、再生中コンテンツがリピート再生条件を満たすと判断する。一方、判断部２２は、再生中コンテンツの累積再生回数が、受付部２１が設定を受け付けた累積再生回数よりも多ければ、再生中コンテンツがリピート再生条件を満たさないと判断する。例えば、図５に示すリピート再生条件３は、累積再生回数が１０回以下の場合に、リピート再生条件を満たすとする設定である。この場合、判断部２２は、再生中コンテンツの累積再生回数が１０回以下であれば、再生中コンテンツがリピート再生条件を満たすと判断する。判断部２２は、再生中コンテンツの累積再生回数が１０回よりも多ければ、再生中コンテンツがリピート再生条件を満たさないと判断する。
【００４４】
また、判断部２２は、受付部２１が、累積再生回数以上の場合に、再生中コンテンツがリピート再生条件を満たすとする設定を受け付けている場合に、再生中コンテンツの累積回数が、受付部２１が設定を受け付けた累積再生回数以上であれば、再生中コンテンツがリピート再生条件を満たすと判断する。一方、判断部２２は、再生中コンテンツの累積再生回数が、受付部２１が設定を受け付けた累積再生回数よりも少なければ、再生中コンテンツがリピート再生条件を満たさないと判断する。例えば、図５に示すリピート再生条件２は、累積再生回数が５回以上の場合に、リピート再生条件を満たすとする設定である。この場合、判断部２２は、再生中コンテンツの累積再生回数が５回以上であれば、再生中コンテンツがリピート再生条件を満たすと判断する。判断部２２は、再生中コンテンツの累積再生回数が５回よりも少なければ、再生中コンテンツがリピート再生条件を満たさないと判断する。
【００４５】
また、判断部２２は、受付部２１が、登録日以前の場合に、再生中コンテンツがリピート再生条件を満たすとする設定を受け付けている場合に、再生中コンテンツの登録日が、受付部２１が設定を受け付けた登録日以前であれば、再生中コンテンツがリピート再生条件を満たすと判断する。一方、判断部２２は、再生中コンテンツの登録日が、受付部２１が設定を受け付けた登録日よりも後であれば、再生中コンテンツがリピート再生条件を満たさないと判断する。例えば、図５に示すリピート再生条件３は、登録日が２０１０年７月以前の場合に、リピート再生条件を満たすとする設定である。この場合、判断部２２は、再生中コンテンツの登録日が２０１０年７月以前であれば、再生中コンテンツがリピート再生条件を満たすと判断する。判断部２２は、再生中コンテンツの登録日が２０１０年７月よりも後（２０１０年８月以降）であれば、再生中コンテンツがリピート再生条件を満たさないと判断する。
【００４６】
また、判断部２２は、受付部２１が、登録日以降の場合に、再生中コンテンツがリピート再生条件を満たすとする設定を受け付けている場合に、再生中コンテンツの登録日が、受付部２１が設定を受け付けた登録日以降であれば、再生中コンテンツがリピート再生条件を満たすと判断する。一方、判断部２２は、再生中コンテンツの登録日が、受付部２１が設定を受け付けた登録日よりも前であれば、再生中コンテンツがリピート再生条件を満たさないと判断する。例えば、図５に示すリピート再生条件２は、登録日が２０００年以降の場合に、リピート再生条件を満たすとする設定である。この場合、判断部２２は、再生中コンテンツの登録日が２０００年以降であれば、再生中コンテンツがリピート再生条件を満たすと判断する。判断部２２は、再生中コンテンツの登録日が２０００年よりも前（１９９９年１２月３１日以前）であれば、再生中コンテンツがリピート再生条件を満たさないと判断する。
【００４７】
また、判断部２２は、受付部２１が、レート数以下の場合に、再生中コンテンツがリピート再生条件を満たすとする設定を受け付けている場合に、再生中コンテンツのレート数が、受付部２１が設定を受け付けたレート数以下であれば、再生中コンテンツがリピート再生条件を満たすと判断する。一方、判断部２２は、再生中コンテンツのレート数が、受付部２１が設定を受け付けたレート数よりも大きければ、再生中コンテンツがリピート再生条件を満たさないと判断する。例えば、図５に示すリピート再生条件１は、レート数が１以下の場合に、リピート再生条件を満たすとする設定である。この場合、判断部２２は、再生中コンテンツのレート数が１以下であれば、再生中コンテンツがリピート再生条件を満たすと判断する。判断部２２は、再生中コンテンツのレート数が１よりも大きければ、再生中コンテンツがリピート再生条件を満たさないと判断する。
【００４８】
また、判断部２２は、受付部２１が、レート数以上の場合に、再生中コンテンツがリピート再生条件を満たすとする設定を受け付けている場合に、再生中コンテンツのレート数が、受付部２１が設定を受け付けたレート数以上であれば、再生中コンテンツがリピート再生条件を満たすと判断する。一方、判断部２２は、再生中コンテンツのレート数が、受付部２１が設定を受け付けたレート数よりも小さければ、再生中コンテンツがリピート再生条件を満たさないと判断する。図５に示す条件２は、レート数が２以上であれば、再生中コンテンツがリピート再生条件を満たすとする設定である。この場合、判断部２２は、再生中コンテンツのレート数が２以上であれば、再生中コンテンツがリピート再生条件を満たすと判断する。判断部２２は、再生中コンテンツのレート数が２よりも小さければ、再生中コンテンツがリピート再生条件を満たさないと判断する。
【００４９】
指示部２３は、ＤＳＰ７にコンテンツの再生を指示する。具体的には、指示部２３は、受付部２１が選択を受け付けたコンテンツの再生を指示する。また、指示部２３は、受付部２１が選択を受け付けたコンテンツの再生を指示した後、判断部２２の判断に基づいて、ＤＳＰ７に再生中コンテンツをリピート再生させるか、又は、次のコンテンツを再生させる。すなわち、指示部２３は、判断部２２が、再生中コンテンツがリピート再生条件等を満たし、再生中コンテンツをリピート再生すると判断した場合、ＤＳＰ７に再生中コンテンツをリピート再生させる。また、指示部２３は、判断部２２が、再生中コンテンツがリピート再生条件等を満たさず、再生中コンテンツをリピート再生しないと判断した場合、ＤＳＰ７に次のコンテンツを再生させる。
【００５０】
以下、コンテンツの再生を開始した後のＡＶアンプ１の処理動作について、図６に示すフローチャートに基づいて説明する。まず、判断部２２は、図５に示すテーブルに基づいて、受付部２１が有効なリピート再生条件の設定を受け付けているか否かを判断する（Ｓ１）。判断部２２は、受付部２１が有効なリピート再生条件の設定を受け付けていると判断した場合（Ｓ１：Ｙｅｓ）、図３に示すテーブルの「Ｎｏ」フィールドに対応する変数ｉ（条件ｉ）を１とする（Ｓ２）。次に、判断部２２は、ＤＳＰ７が再生しているコンテンツの情報（累積再生回数、登録日、レート数）をＵＳＢメモリ１００から取得する（Ｓ３）。判断部２２は、取得した再生中コンテンツの情報を記憶部３に記憶する（Ｓ４）。次に、判断部２２は、図５に示すテーブルに基づいて、リピート再生条件ｉの設定が有効であるか否かを判断する（Ｓ５）。
【００５１】
判断部２２は、リピート再生条件ｉが有効であると判断した場合（Ｓ５：Ｙｅｓ）、記憶部３に記憶されている再生中コンテンツの情報と、リピート再生条件ｉと、比較し（Ｓ６）、再生中コンテンツがリピート再生条件ｉを満たしているか否かを判断する（Ｓ７）。判断部２２は、再生中コンテンツがリピート再生条件ｉを満たしていると判断した場合（Ｓ７：Ｙｅｓ）、再生中コンテンツがリピート再生条件ｉを満たしていることを記憶部３に記憶する（Ｓ８）。ここで、判断部２２は、再生中コンテンツがリピート再生条件ｉを満たしていることに対応付けて、再生中コンテンツが満たしている項目（累積再生回数、登録日、レート数）の数を記憶する。判断部２２は、リピート再生条件ｉが有効でないと判断した場合（Ｓ５：Ｎｏ）、再生中コンテンツがリピート再生条件ｉを満たさないと判断した場合（Ｓ７：Ｎｏ）、又は、Ｓ８の処理の後、変数ｉが、記憶部３に記憶されているリピート再生条件の数ｎと一致しているか否かを判断する（Ｓ９）。全てのリピート再生条件１〜ｎを再生中コンテンツが満たすか否かを判断するためである。判断部２２は、変数ｉがリピート再生条件の数ｎと一致していないと判断した場合（Ｓ９：Ｎｏ）、再生中コンテンツが次のリピート再生条件ｉを満たしているか否かを判断するため、変数ｉをｉ＋１とする（Ｓ１０）。次に、判断部２２は、Ｓ５の処理を実行する。
【００５２】
判断部２２は、変数ｉがリピート再生条件の数ｎと一致していると判断した場合（Ｓ９：Ｙｅｓ）、記憶部３に記憶されている情報に基づいて、再生中コンテンツが満たしているリピート再生条件があるか否かを判断する（Ｓ１１）。すなわち、判断部２２は、再生中コンテンツがいずれかのリピート再生条件を満たし、再生中コンテンツをリピート再生するか否かを判断する。判断部２２は、再生中コンテンツが満たしているリピート条件がある、すなわち、再生中コンテンツをリピート再生すると判断した場合（Ｓ１１：Ｙｅｓ）、記憶部３に記憶されている情報に基づいて、再生中コンテンツが満たしているリピート再生条件が複数あるか否かを判断する（Ｓ１２）。判断部２２は、再生中コンテンツが満たしているリピート再生条件が複数あると判断した場合（Ｓ１２：Ｙｅｓ）、再生中コンテンツの情報に最も一致度が高いリピート再生条件を選択する（Ｓ１３）。具体的には、判断部２２は、複数のリピート再生条件のうち、累積再生回数、登録日、レート数を満たしている数が最も多いリピート再生条件を選択する。判断部２２が、再生中コンテンツが満たしている条件が複数ない、すなわち、１つであると判断した場合（Ｓ１２：Ｎｏ）、又は、Ｓ１３の処理の後、指示部２３は、ＤＳＰ７に再生中コンテンツのリピート再生を指示する（Ｓ１４）。なお、再生中コンテンツが満たしているリピート再生条件が１つであれば、Ｓ１３の選択は行われない。
【００５３】
ＤＳＰ７は、コンテンツの再生を終了すると（Ｓ１５）、指示部２３からの指示に基づいて、再生していたコンテンツをリピート再生する（Ｓ１６）。次に、判断部２２は、リピート再生回数を＋１する（Ｓ１７）。次に、判断部２２は、図５に示すテーブルに基づいて、Ｓ１４で選択したリピート再生条件に対応するリピート再生回数、又は、再生中コンテンツが満たしている１つのリピート再生条件に対応するリピート再生回数に、再生中コンテンツのリピート再生回数が達しているか否かを判断する（Ｓ１８）。判断部２２が、Ｓ１４で選択したリピート再生条件に対応するリピート再生回数、又は、再生中コンテンツが満たしている１つのリピート再生条件に対応するリピート再生回数に、再生中コンテンツのリピート再生回数が達していないと判断した場合（Ｓ１８：Ｎｏ）、指示部２３は、ＤＳＰ７に再生中コンテンツのリピート再生を指示する（Ｓ１４）。
【００５４】
判断部２２が、Ｓ１４で選択したリピート再生条件に対応するリピート再生回数、又は、再生中コンテンツが満たしている１つのリピート再生条件に対応するリピート再生回数に、再生中コンテンツのリピート再生回数が達していると判断した場合（Ｓ１８：Ｙｅｓ）、指示部２３は、ＤＳＰ７に次のコンテンツの再生を指示する（Ｓ１９）。また、判断部２２が、有効なリピート再生条件がないと判断した場合（Ｓ１：Ｎｏ）、又は、再生中コンテンツが満たす条件がないと判断した場合も（Ｓ１１：Ｎｏ）、指示部２３は、ＤＳＰ７に次のコンテンツの再生を指示する（Ｓ１９）。ＤＳＰ７は、コンテンツの再生を終了すると（Ｓ２０）、指示部２３からの指示に基づいて、次のコンテンツを再生する（Ｓ２１）。そして、Ｓ２１の処理の後、Ｓ１の処理が実行される。
【００５５】
次に、再生中コンテンツの情報と、リピート再生条件と、を比較する処理動作（図６に示すＳ６）について、図７に示すフローチャートに基づいて説明する。まず、判断部２２は、リピート再生条件に累積再生回数の設定があるか否かを判断する（Ｓ３１）。判断部２２は、リピート再生条件に累積再生回数の設定があると判断した場合（Ｓ３１：Ｙｅｓ）、再生中コンテンツが、リピート再生条件の累積再生回数を満たしているか否かを判断する（Ｓ３２）。判断部２２は、再生中コンテンツが、リピート再生条件の累積再生回数を満たしていると判断した場合（Ｓ３２：Ｙｅｓ）、再生中コンテンツが、リピート再生条件の累積再生回数を満たしていることを記憶部３に記憶する（Ｓ３３）。判断部２２は、リピート再生条件に累積再生回数の設定がないと判断した場合（Ｓ３１：Ｎｏ）、再生中コンテンツが、リピート再生条件の累積再生回数を満たしていないと判断した場合（Ｓ３２：Ｎｏ）、又は、Ｓ３３の処理の後、リピート再生条件に登録日が設定されているか否かを判断する（Ｓ３４）。判断部２２は、リピート再生条件に登録日が設定されていると判断した場合（Ｓ３４：Ｙｅｓ）、再生中コンテンツが、リピート再生条件の登録日を満たしているか否かを判断する（Ｓ３５）。判断部２２は、再生中コンテンツが、リピート再生条件の登録日を満たしていると判断した場合（Ｓ３５：Ｙｅｓ）、再生中コンテンツが、リピート再生条件の登録日を満たしていることを記憶部３に記憶する（Ｓ３６）。
【００５６】
判断部２２は、リピート再生条件に登録日が設定されていないと判断した場合（Ｓ３４：Ｎｏ）、再生中コンテンツが、リピート再生条件の登録日を満たさないと判断した場合（Ｓ３５：Ｎｏ）、又は、Ｓ３６の処理の後、リピート再生条件にレート数が設定されているか否かを判断する（Ｓ３７）。判断部２２は、リピート再生条件にレート数が設定されていると判断した場合（Ｓ３７：Ｙｅｓ）、再生中コンテンツが、リピート再生条件のレート数を満たしているか否かを判断する（Ｓ３８）。判断部２２は、再生中コンテンツが、リピート再生条件のレート数を満たしていると判断した場合（Ｓ３８：Ｙｅｓ）、再生中コンテンツが、リピート再生条件のレート数を満たしていることを記憶部３に記憶する（Ｓ３９）。判断部２２は、リピート再生条件にレート数が設定されていないと判断した場合（Ｓ３７：Ｎｏ）、又は、再生中コンテンツが、リピート再生条件のレート数を満たしていないと判断した場合（Ｓ３８：Ｎｏ）、処理を終了する。
【００５７】
また、本実施形態では、受付部２１は、リピート再生条件として、再生中コンテンツの情報、すなわち、累積再生回数、登録日、レート数を受け付ける。すなわち、ユーザーは、再生中コンテンツの累積再生回数、登録日、レート数を、リピート再生条件として設定することも可能である。以下、再生中コンテンツの累積再生回数、登録日、レート数を、リピート再生条件として受け付ける場合の処理動作を、図８に示すフローチャートに基づいて説明する。受付部２１は、再生中コンテンツの累積再生回数、登録日、レート数をリピート再生条件として受け付けるか否かを判断する（Ｓ４１）。受付部２１は、例えば、表示部４に再生中コンテンツの累積再生回数等をリピート再生条件として設定するか否かをユーザーに問い合わせるメッセージを表示する。そして、受付部２１は、ユーザーによる操作部５の操作に基づいて、再生中コンテンツの累積再生回数等をリピート再生条件として受け付けるか否かを判断する。受付部２１は、再生中コンテンツの累積再生回数、登録日、レート数をリピート再生条件として受け付けないと判断した場合（Ｓ４１：Ｎｏ）、処理を終了する。
【００５８】
受付部２１は、再生中コンテンツの累積再生回数、登録日、レート数をリピート再生条件として受け付けると判断した場合（Ｓ４１：Ｙｅｓ）、ＵＳＢメモリ１００から、再生中コンテンツの累積再生回数、登録日、レート数を取得する（Ｓ４２）。次に、受付部２１は、取得した再生中コンテンツの累積再生回数、登録日、レート数を、リピート再生条件として、図５に示すテーブル（記憶部３）に記憶する（Ｓ４３）。このとき、累積再生回数以上でリピート再生条件を満たすとするか、また、累積再生回数以下でリピート再生条件を満たすとするかは、ユーザーによる操作部５からの操作により設定される。受付部２１は、操作部５の操作に基づいて、上記の設定を受け付け、受け付けた「以下」又は「以上」の情報を、図５に示すテーブルに記憶する。登録日、レート数についても同様である。また、リピート再生回数も、ユーザーによる操作部５からの操作により設定される。受付部２１は、操作部５の操作に基づいて、リピート再生回数の設定を受け付け、設定を受け付けたリピート再生回数を、対応するリピート再生条件の「リピート再生回数」フィールドに記憶する。
【００５９】
受付部２１は、設定を受け付けたリピート再生条件（Ｓ４３で記憶したリピート再生条件）を有効にするか否かを判断する（Ｓ４４）。受付部２１は、例えば、表示部４に設定を受け付けたリピート再生条件を有効にする否かをユーザーに問い合わせるメッセージを表示する。そして、受付部２１は、ユーザーによる操作部５の操作に基づいて、リピート再生条件を有効にするか否かを判断する。受付部２１は、設定を受け付けたリピート再生条件を有効にすると判断した場合（Ｓ４４：Ｙｅｓ）、設定を受け付けたリピート再生条件を有効に設定する（Ｓ４５）。すなわち、受付部２１は、図５に示すテーブルの、対応するリピート再生条件の「有効／無効」フィールドに「有効」を記憶する。受付部２１は、設定を受け付けたリピート再生条件を有効にしない、すなわち、無効にすると判断した場合（Ｓ４４：Ｎｏ）、設定を受け付けたリピート再生条件を無効に設定する（Ｓ４６）。すなわち、受付部２１は、図５に示すテーブルの、対応するリピート再生条件の「有効／無効」フィールドに「無効」を記憶する。
【００６０】
以上説明したように、本実施形態では、指示部２３は、再生中コンテンツがリピート再生条件を満たしている場合、ＤＳＰ７に再生中コンテンツをリピート再生させる。また、指示部２３は、再生中コンテンツがリピート再生条件を満たしていない場合、ＤＳＰ７に次のコンテンツを再生させる。これにより、ユーザーがリピート再生の設定を変更せずとも、コンテンツに応じた再生（リピート再生や１回のみの再生）を行うことができる。
【００６１】
また、本実施形態では、判断部２２は、再生中コンテンツが満たしているリピート再生条件が有効であれば、再生中コンテンツをリピート再生すると判断する。そして、指示部２３は、ＤＳＰ７に再生中コンテンツをリピート再生させる。また、判断部２２は、再生中コンテンツが満たしているリピート再生条件が無効であれば、再生中コンテンツをリピート再生しないと判断する。そして、指示部２３は、ＤＳＰ７に次のコンテンツを再生させる。従って、ユーザーは、リピート再生条件を有効又は無効に設定することにより、リピート再生条件を満たしている再生中コンテンツを、リピート再生させたり、リピート再生させなかったりすることができる。
【００６２】
また、本実施形態では、受付部２１は、リピート再生条件に対応するリピート再生回数の設定を受け付ける。これにより、ユーザーは、リピート再生条件に対応するリピート再生回数を設定することができる。
【００６３】
また、本実施形態では、受付部２１は、リピート再生条件として、コンテンツの累積再生回数と、累積再生回数以上の場合に、再生中コンテンツがリピート再生条件を満たすとするか、又は、累積再生回数以下の場合に、再生中コンテンツがリピート再生条件を満たすとするかの設定と、を受け付ける。これにより、ユーザーは、リピート再生条件として、コンテンツの累積再生回数、累積再生回数以上の場合に、再生中コンテンツがリピート再生条件を満たすとするか、又は、累積再生回数以下の場合に、再生中コンテンツがリピート再生条件を満たすとするか、を設定することができる。
【００６４】
また、本実施形態では、受付部２１は、リピート再生条件として、コンテンツの登録日と、登録日以前の場合に、再生中コンテンツがリピート再生条件を満たすとするか、又は、登録日以降の場合に、再生中コンテンツがリピート再生条件を満たすとするかの設定と、を受け付ける。これにより、ユーザーは、リピート再生条件として、コンテンツの登録日、登録日以前の場合に、再生中コンテンツがリピート再生条件を満たすとするか、又は、登録日以降の場合に、再生中コンテンツがリピート再生条件を満たすとするか、を設定することができる。
【００６５】
また、本実施形態では、受付部２１は、リピート再生条件として、コンテンツのレート数と、レート数以下の場合に、再生中コンテンツがリピート再生条件を満たすとするか、又は、レート数以上の場合に、再生中コンテンツがリピート再生条件を満たすとするかの設定と、を受け付ける。これにより、ユーザーは、リピート再生条件として、コンテンツのレート数、レート数以下の場合に、再生中コンテンツがリピート再生条件を満たすとするか、又は、レート数以上の場合に、再生中コンテンツがリピート再生条件を満たすとするか、を設定することができる。
【００６６】
また、本実施形態では、受付部２１は、リピート再生条件として、コンテンツの累積再生回数と、コンテンツの登録日と、コンテンツのレート数と、累積再生回数、登録日、レート数を全て満たすか、いずれか２つを満たすか、又は、いずれか１つを満たす場合に、再生中コンテンツがリピート再生条件を満たすとするかの設定と、を受け付ける。これにより、ユーザーは、リピート再生条件として、コンテンツの累積再生回数、コンテンツの登録日、コンテンツのレート数、累積再生回数、登録日、レート数を全て満たすか、いずれか２つを満たすか、又は、いずれか１つを満たす場合に、再生中コンテンツがリピート再生条件を満たすとするか、を設定することができる。
【００６７】
また、本実施形態では、受付部２１は、リピート再生条件として、再生中コンテンツの情報（累積再生回数、登録日、評価値）を受け付ける。これにより、ユーザーは、リピート再生条件を設定する手間が省ける。
【００６８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００６９】
上述の実施形態においては、受付部２１は、リピート再生条件として、コンテンツの累積再生回数、登録日、レート数の設定を受け付けるようになっている。これに限らず、受付部２１は、リピート再生条件として、コンテンツの累積再生回数、登録日、レート数のうちのいずれか１つ、または、いずれか２つの設定を受け付けるようになっていてもよい。
【００７０】
上述の実施形態においては、受付部２１は、リピート再生条件に対応するリピート再生回数の設定を受け付けるようになっている。これに限らず、受付部２１は、リピート再生条件に対応するリピート再生時間の設定を受け付けるようになっていてもよい。この場合、受付部２１は、図９に示すように、リピート再生回数に替えて、リピート再生時間（２０分等）をテーブルに記憶する。また、図６に示すＳ１７に替えて、図１０に示すように、判断部２２は、再生中コンテンツの再生時間を取得する（Ｓ１１７）。また、図６に示すＳ１７に替えて、図１０に示すように、判断部２２は、取得した再生時間が、リピート再生条件に対応するリピート再生時間に達しているか否かを判断する（Ｓ１１８）。この場合、判断部２２が、再生時間がリピート再生条件に対応するリピート再生時間に達していないと判断した場合（Ｓ１１８：Ｎｏ）、指示部２３は、ＤＳＰ７に再生中コンテンツのリピート再生を指示する（Ｓ１４）。また、判断部２２が、再生時間がリピート再生条件に対応するリピート再生時間に達していると判断した場合（Ｓ１１８：Ｙｅｓ）、指示部２３は、ＤＳＰ７に次のコンテンツの再生を指示する（Ｓ１４）。
【００７１】
上述の実施形態においては、リピート再生条件として、コンテンツの累積再生回数、登録日、レート数を例示した。これに限らず、リピート再生条件は、ジャンル、アーティスト等であってもよい。
【００７２】
上述の実施形態においては、ＤＳＰ７は、外部記憶媒体であるＵＳＢメモリ１００に記憶されているコンテンツを再生するようになっている。これに限らず、ＡＶアンプ１の記憶部３がコンテンツを記憶するＨＤＤを備えており、ＤＳＰ７は、記憶部３に記憶されているコンテンツを再生するようになっていてもよい。
【００７３】
上述の実施形態においては、外部記憶媒体として、ＵＳＢメモリ１００を例示した。これに限らず、コンテンツを記憶するものであれば、携帯オーディオプレーヤー、ＨＤＤ、スマートフォン等であってもよい。
【００７４】
上述の実施形態においては、コンテンツ再生装置として、ＡＶアンプを例示した。これに限らず、コンテンツ再生プログラムが実行されることでコンテンツ再生装置として機能するパーソナルコンピュータ、スマートフォン、ＡＶアンプ以外の音響機器等であってもよい。
【産業上の利用可能性】
【００７５】
本発明は、コンテンツを再生するコンテンツ再生装置、及び、コンテンツ再生プログラムに好適に採用され得る。
【符号の説明】
【００７６】
１  ＡＶアンプ（コンテンツ再生装置）
２  制御部
２１  受付部
２２  判断部
２３  指示部
３  記憶部
４  表示部
５  操作部
７  ＤＳＰ（再生部）
１００  ＵＳＢメモリ（外部記憶媒体）
【図１】
2015197939.tif 000003
【図２】
2015197939.tif 000004
【図３】
2015197939.tif 000005
【図４】
2015197939.tif 000006
【図５】
2015197939.tif 000007
【図６】
2015197939.tif 000008
【図７】
2015197939.tif 000009
【図８】
2015197939.tif 000010
【図９】
2015197939.tif 000011
【図１０】
2015197939.tif 000012